(57)【要約】      （修正有）【課題】仮設工事現場に設置された施錠装置付きの扉体を開扉するための開扉支援装置を提供する。【解決手段】外部領域からは認証手段を介してロック機構のロックを解除し係止片１１の係止を解除可能とするが内部領域からは認証手段を介さずに内側ハンドルレバー１７を操作方向に回動させることにより係止片１１の係止を解除可能とする施錠装置１２を設けた扉体３において、内側ハンドルレバーに臨んで開扉支援装置１９を設け、開扉支援装置１９は、扉体３に対して接離方向に回動自在な支援レバー２２と、支援レバー２２を扉体に向けて接近方向に回動したとき内側ハンドルレバー１７を操作方向に回動させる駆動カム手段２３を備えている。【選択図】図３
0003185139.tif 000002
【実用新案登録請求の範囲】
【請求項１】
仮設工事現場における内部領域と外部領域を作業者が出入する開口枠体を開閉する扉体であり、扉体(3)は、開口枠体にヒンジ結合される基端部(3a)に対して、自由端部(3b)を閉扉位置(P1)と外部領域に向けて開扉された開扉位置(P2)との間で回動自在となるように構成し、
該自由端部に開口枠体に進退自在に進入することにより閉扉状態で係止する係止片(11)を備えた施錠装置(12)を設けると共に、前記係止片の係止を解除不能にロックするロック機構と、外部領域からは認証手段(14)を介して前記ロック機構のロックを解除し係止片(11)の係止を解除可能とするが内部領域からは認証手段(14)を介さずに係止片(11)の係止を解除可能とするワンウエイ解錠機構を設けた構成において、
前記施錠装置(12)は、内部領域から操作可能な内側ハンドルレバー(17)を備え、該内側ハンドルレバーを操作方向に回動することにより前記係止片(11)の係止を解除するように構成され、前記内側ハンドルレバーに臨んで開扉支援装置(19)を設けており、
前記開扉支援装置(19)は、扉体(3)に対して接離方向に回動自在な支援レバー(22)と、該支援レバー(22)を扉体に向けて接近方向に回動したとき前記内側ハンドルレバー(17)を操作方向に回動させる駆動カム手段(23)を備えて成ることを特徴とする仮設扉における開扉支援装置。
【請求項２】
前記内側ハンドルレバー(17)は、常時は水平姿勢を保持し、操作方向に回動したとき傾斜姿勢とされるように構成され、
前記開扉支援装置(19)は、前記内側ハンドルレバー(17)の上下方向にレバー操作空間(S)を介して離間した位置に取付けられるブラケット(20)と、前記ブラケットに横軸廻りに枢着される基端部から前記内側ハンドルレバーの反対側に向けて延びる支援レバー(22)と、前記支援レバーの基端部よりも細幅に形成されると共に該基端部から前記内側ハンドルレバーの内側に交差するように延設された駆動カム手段(23)を備えたユニットを構成して成ることを特徴とする請求項１に記載の仮設扉における開扉支援装置。
【請求項３】
前記支援レバー(22)を扉体から離反する方向に回動付勢するスプリング(24)を設けると共に、該支援レバー(22)の基端部にストッパ手段(22a)を設け、
前記ストッパ手段(22a)を前記ブラケット(20)に当接させることにより、支援レバー(22)が扉体から離反方向に回動した待機位置を保持するように構成して成ることを特徴とする請求項２に記載の仮設扉における開扉支援装置。
【請求項４】
前記扉体(3)は、扉枠(5)の枠内空間を閉塞する面板(6)を備え、扉体の背後の人影を視認可能とするように前記面板に多数の小孔(7)を開設しており、
前記面板(6)に開設した小孔(7)のうち、少なくとも前記施錠装置(12)を包囲する領域に列設した小孔(7a)の最大内径を２．５ｍｍ以下かつ２．０ｍｍ以上に形成して成ることを特徴とする請求項１、２又は３に記載の仮設扉における開扉支援装置。
【請求項５】
前記扉体(3)は、横桟(4)を備えた扉枠(5)と、前記横桟の上下に位置して扉枠に固着された面板(6a,6b)を備え、扉体の背後の人影を視認可能とするように前記面板に多数の小孔(7)を開設しており、
前記施錠装置(12)は、前記面板の小孔(7)を被うフランジ(13)を介して扉体の自由端部に固着されると共に、前記内側ハンドルレバー(17)を前記横桟(4)の背後に配置しており、
前記開扉支援装置(19)は、前記支援レバー(22)を前記施錠装置のフランジ(13)の背後に配置して成ることを特徴とする請求項１、２、３又は４に記載の仮設扉における開扉支援装置。
【考案の詳細な説明】
【技術分野】
【０００１】
本考案は、仮設工事現場における内部領域と外部領域を作業者が出入する開口枠体を開閉する仮設扉において、施錠装置を設けた扉体を開扉するための支援装置に関する。
【背景技術】
【０００２】
建築工事現場の防犯や防災のため、暗証番号等の認証を介して解錠可能とした施錠装置付きの仮設扉が提案されている。
【先行技術文献】
【特許文献】
【０００３】
【特許文献１】特開２０１０−２５５３９６号公報
【考案の概要】
【考案が解決しようとする課題】
【０００４】
上記特許文献は、建築工事中の建物に設置された扉枠を利用して施錠装置付きの仮設扉を取付ける技術を説明しているが、同様の施錠装置付きの仮設扉は、仮設工事現場においても利用することが好ましい。
【０００５】
例えば、建造物等の外壁工事等のために仮設足場を構築しているような仮設工事現場は、部外者の無断進入を防止することが望ましく、このため、内部領域と外部領域をフェンス等の隔壁により区成すると共に、作業者等が出入する開口枠体を設け、該開口枠体を開閉する仮設扉に施錠装置を設けることが好ましい。
【０００６】
この際、仮設扉の施錠装置は、開口枠体に係止する係止片を係止解除不能にロックするロック機構と、ロック機構のロックを解除させるためのワンウエイ解錠機構を設けていると便利である。ワンウエイ解錠機構によれば、外部領域からロックを解除するときは、暗証番号の入力やカードによる磁気情報の入力等の認証手続を必要とする反面、内部領域からロックを解除するときは、このような認証手続を必要とせず、内側ハンドルレバーを回動操作するだけで係止片の係止を解除させることが可能である。従って、作業者等が内部領域から外部領域に退出する際には、認証手続が不要であり、内側ハンドルレバーを操作方向に回動すれば、同時に係止片の係止が解除され、直ちに開扉できるので、迅速な退出が可能になる。
【０００７】
しかしながら、上記のワンウエイ解錠機構によっても、作業者等が物品を抱きかかえる等、手がふさがっている場合は、内側ハンドルレバーを回動操作することが困難であるから、物品を地面に置く等、手を自由にした状態で、内側ハンドルレバーを回動操作しなければならず、上述の迅速性の目的が損なわれる。
【０００８】
本考案は、このようなワンウエイ解錠機構を備えた施錠装置付きの仮設扉において、防犯等の機能を高めると共に、開扉支援装置を提供することにより、作業者等が内部領域から外部領域に退出する際、仮に手がふさがっている場合でも、身体の一部を押し付けるだけで、内側ハンドルレバーを回動させることにより施錠装置を解錠することができるように構成し、そのまま身体を押し付け方向に移動することにより、仮設扉を外部領域に向けて開扉させ、退出のための開扉の迅速化と容易化を図ることを課題とする。
【課題を解決するための手段】
【０００９】
そこで、本考案が手段として構成したところは、仮設工事現場における内部領域と外部領域を作業者が出入する開口枠体を開閉する扉体であり、扉体は、開口枠体にヒンジ結合される基端部に対して、自由端部を閉扉位置と外部領域に向けて開扉された開扉位置との間で回動自在となるように構成し、該自由端部に開口枠体に進退自在に進入することにより閉扉状態で係止する係止片を備えた施錠装置を設けると共に、前記係止片の係止を解除不能にロックするロック機構と、外部領域からは認証手段を介して前記ロック機構のロックを解除し係止片の係止を解除可能とするが内部領域からは認証手段を介さずに係止片の係止を解除可能とするワンウエイ解錠機構を設けた構成において、前記施錠装置は、内部領域から操作可能な内側ハンドルレバーを備え、該内側ハンドルレバーを操作方向に回動することにより前記係止片の係止を解除するように構成され、前記内側ハンドルレバーに臨んで開扉支援装置を設けており、前記開扉支援装置は、扉体に対して接離方向に回動自在な支援レバーと、該支援レバーを扉体に向けて接近方向に回動したとき前記内側ハンドルレバーを操作方向に回動させる駆動カム手段を備えて成る点にある。
【００１０】
本考案の好ましい実施形態において、前記内側ハンドルレバーは、常時は水平姿勢を保持し、操作方向に回動したとき傾斜姿勢とされるように構成され、前記開扉支援装置は、前記内側ハンドルレバーの上下方向にレバー操作空間を介して離間した位置に取付けられるブラケットと、前記ブラケットに横軸廻りに枢着される基端部から前記内側ハンドルレバーの反対側に向けて延びる支援レバーと、前記支援レバーの基端部よりも細幅に形成されると共に該基端部から前記内側ハンドルレバーの内側に交差するように延設された駆動カム手段を備えたユニットを構成している。
【００１１】
この際、前記支援レバーを扉体から離反する方向に回動付勢するスプリングを設けると共に、該支援レバーの基端部にストッパ手段を設け、前記ストッパ手段を前記ブラケットに当接させることにより、支援レバーが扉体から離反方向に回動した待機位置を保持するように構成することが好ましい。
【００１２】
また、本考案の好ましい実施形態において、前記扉体は、扉枠の枠内空間を閉塞する面板を備え、扉体の背後の人影を視認可能とするように前記面板に多数の小孔を開設しており、前記面板に開設した小孔のうち、少なくとも前記施錠装置を包囲する領域に列設した小孔の最大内径を２．５ｍｍ以下かつ２．０ｍｍ以上に形成している。
【００１３】
更に、本考案の別の好ましい実施形態において、前記扉体は、横桟を備えた扉枠と、前記横桟の上下に位置して扉枠に固着された面板を備え、扉体の背後の人影を視認可能とするように前記面板に多数の小孔を開設しており、前記施錠装置は、前記面板の小孔を被うフランジを介して扉体の自由端部に固着されると共に、前記内側ハンドルレバーを前記横桟の背後に配置しており、前記開扉支援装置は、前記支援レバーを前記施錠装置のフランジの背後に配置している。
【考案の効果】
【００１４】
請求項１に記載の本考案によれば、作業者等が内部領域Ａ１から外部領域Ａ２に退出するため扉体３を開扉するときは、作業者等の身体の一部を支援レバー２２に押し付けることにより該支援レバー２２を扉体３に向けて回動させるだけで、同行して回動する駆動カム手段２３により内側ハンドルレバー１７を操作方向に回動させ、係止片１１の係止状態を解除することができるので、そのまま身体の一部を押し続けることにより、簡単に扉体３を開扉位置Ｐ２に向けて回動し開扉することが可能となる。従って、作業者等の手がふさがっている場合等でも、身体の一部を押し付けるだけで、係止片１１の係止解除と扉体３の開扉方向への回動を同時に行うことができるので、退出時における開扉の迅速性と容易性に貢献する。
【００１５】
請求項２に記載の本考案によれば、開扉支援装置１９は、ユニットを構成しているので、施錠装置付きの扉体３に対して、簡便に、後付けできる効果がある。
【００１６】
請求項３に記載の本考案によれば、常時、支援レバー２２を作動可能な待機位置に保持させることができるという効果がある。
【００１７】
請求項４に記載の本考案によれば、扉体３の面板６に開設した多数の小孔７を介して扉体３の背後の人影を視認することが可能であるから、防犯効果が高く、しかも、小孔７のうち、少なくとも施錠装置１２を包囲する領域に列設した小孔７ａの最大内径を２．５ｍｍ以下かつ２．０ｍｍ以上に形成しているので、仮設現場で入手容易なφ２．５ｍｍの番線又はφ２．０ｍｍの番線を使用することにより、不正者が小孔７ａを介して施錠装置１２を不正解錠することは至難となる。
【００１８】
請求項５に記載の本考案によれば、前述のように小孔７を介して扉体３の背後の人影を視認することが可能であると共に、施錠装置１２のフランジ１３により小孔７を被うことにより、外部領域Ａ２から内部領域Ａ１に向けて解錠のための不正手段が挿通されることを防止し、更に、内側ハンドルレバー１７を横桟４の背後に配置すると共に、開扉支援装置１９の支援レバー２２を前記フランジ１３の背後に配置しているので、外部領域Ａ２から不正手段を使用することにより、内側ハンドルレバー１７及び支援レバー２２を回動することは不可能とされ、施錠装置１２の所期の防犯目的を完璧に達することができる。
【図面の簡単な説明】
【００１９】
【図１】本考案の開扉支援装置を備えた施錠装置付きの仮設扉の１例を示す正面図である。
【図２】本考案の１実施形態に係る開扉支援装置を備えた施錠装置付きの仮設扉を外部領域から見た斜視図である。
【図３】本考案の１実施形態に係る開扉支援装置を備えた施錠装置付きの仮設扉を内部領域から見た斜視図である。
【図４】開扉支援装置を取付ける前の施錠装置を示しており、（Ａ）は外部領域から見た斜視図、（Ｂ）は内部領域から見た斜視図である。
【図５】本考案の１実施形態に係る開扉支援装置を示しており、（Ａ）は開扉支援装置を取付けた施錠装置を内部領域から見た斜視図、（Ｂ）は開扉支援装置の分解斜視図である。
【図６】本考案の１実施形態に係る開扉支援装置の作用を示す斜視図である。
【考案を実施するための形態】
【００２０】
以下図面に基づいて本考案の好ましい実施形態を詳述する。
【００２１】
図１ないし図３に示すように、例えば、建造物等の外壁工事等のために仮設足場を構築しているような仮設工事現場において、部外者の無断進入を防止するため、内部領域Ａ１と外部領域Ａ２は、フェンス等の隔壁１により区成され、該隔壁１の一部に作業者等が出入する開口枠体２を設け、該開口枠体２を開閉する扉体３を設けている。
【００２２】
扉体３は、横桟４を備えた扉枠５と、前記横桟４の上下に位置して扉枠５に固着された面板６ａ、６ｂを備え、扉体３の背後の人影等を視認可能とするように前記面板６ａ、６ｂに多数の小孔７を開設している。図示実施形態の場合、小孔７は、面板６ａ、６ｂのうち、前記横桟４に臨む領域に開口径の小さい微細孔７ａを配置し、横桟４から離れた領域に開口径をやや大きくした細孔７ｂを配置している。前記面板６ａ、６ｂは、図示のようなパンチングメタルにより形成することが好ましいが、網目を有するネット等により形成しても良い。
【００２３】
仮設工事現場においては、足場部材その他の部材を結束するため、φ２．５ｍｍ又はφ２．０ｍｍの番線が使用されており、このような番線が地面に遺失物等として残留することがある。そこで、不正者が番線を拾うことにより、扉体３の施錠装置の解錠を試みる危険がある。このため、図示実施形態の場合、前記微細孔７ａは、最大内径を２．５ｍｍ以下かつ２．０ｍｍ以上に形成している。微細孔７ａは、円形とする他、楕円形や矩形でも良いが、楕円形の場合、前記最大内径は楕円の長径であり、矩形の場合、最大内径は対角線である。微細孔７ａの最大内径を前記のように構成すれば、φ２．５ｍｍの番線は、例えばＵ形に折曲した状態で、最大内径を２．５ｍｍ以下とした微細孔７ａに挿通することが不可能となる。また、φ２．０ｍｍの番線は、Ｕ形に折曲した状態で最大内径を２．０ｍｍ以上とした微細孔７ａに挿通可能であるが、細線のため保形性が十分でなく、施錠装置の解錠片（例えば後述する内側ハンドルレバー１７）に引っ掛けて係止することはできても、引き寄せると簡単に折曲状態から直線状態に復元して係止を解除するので、解錠には至らない。そして、微細孔７ａの最大内径を２．０ｍｍ以上とすることにより、背後の人影等の視認性を損なうことがない。
【００２４】
尚、図例の場合は、面板６ａ、６ｂに微細孔７ａと細孔７ｂを並設しているが、全面に微細孔７ａを設けても良く、或いは、後述の施錠装置１２を包囲する領域にだけ微細孔７ａを列設し、それ以外の領域には大径とした細孔７ｂを設けても良い。更に、扉枠５の枠内空間を閉塞する面板は、図示のように上下の面板６ａ、６ｂに分割せず、１枚のパンチングメタル等により形成しても良い。
【００２５】
前記扉体３は、扉枠５の左右の縦桟５ａ、５ｂを含んで基端部３ａと自由端部３ｂを構成し、基端部３ａは、開口枠体２の一方の縦枠２ａにヒンジ手段８を介して枢結されており、これにより、自由端部３ｂは、図示矢印Ｒで示すように、開口枠体２の他方の縦枠２ｂに重なり合う閉扉位置Ｐ１と、外部領域Ａ２に向けて開扉された開扉位置Ｐ２との間で、回動自在とされている。尚、前記矢印Ｒ方向に関して、扉体３を開扉位置Ｐ２から閉扉位置Ｐ１に回動したとき、閉扉位置で停止させるように、縦枠２ｂにストッパ９を設けることが好ましい。
【００２６】
前記自由端部３ｂには、開口枠体２の縦枠２ｂに設けられた係止穴１０に進退自在に進入し、閉扉状態で係止する係止片１１（図４及び図６参照）を備えた施錠装置１２が設けられている。
【００２７】
図示実施形態の場合、施錠装置１２は、自由端部３ｂに位置して、外部領域Ａ２から前記縦桟５ｂ及び面板６ａ、６ｂに重ねられるフランジ１３と、該フランジ１３の正面側に臨む認証手段１４と背面側に突出するハウジング１５を備えており、前記ハウジング１５を面板６ａ、６ｂの切欠き開口部に貫通させた状態で、溶接等により固着されている。
【００２８】
図４に示すように、施錠装置１２は、正面側に外側ハンドルレバー１６を設けると共に、背面側に内側ハンドルレバー１７を設け、これらのハンドルレバー１６、１７を回動することにより前記係止片１１を進退移動するように構成され、前記ハウジング１５の内部に、自動ロック機構を設けると共に、ワンウエイ解錠機構を設けている。
【００２９】
図示省略しているが、前記自動ロック機構は、扉体３を閉扉位置Ｐ１に位置させて係止片１１を前記係止穴１０に進入係止させた状態で、該係止片１１を係止状態から後退不能にロックするように構成されている。従って、ロック状態において、外側ハンドルレバー１６は回動不能とされ、外部領域Ａ２からはロックを解除することができない構成とされている。尚、自動ロック機構は、ハウジング１３に設けた切換え操作片１８を正逆回動させることにより、ＯＮ／ＯＦＦが切換え可能であり、ＯＮ状態では、係止片１１が自由端部５ｂから突出したとき後退不能となるように自動ロックするが、ＯＦＦ状態では、このような自動ロックを行わず、外部領域Ａ２から外側ハンドルレバー１６を回動することにより係止片１１を後退させ係止解除することを可能とする。
【００３０】
前記ワンウエイ解錠機構は、係止片１０が係止穴１０に進入係止し、ＯＮ状態の自動ロック機構により後退不能にロックされている場合において、外部領域からロック解除するときは、人為的操作に基づく認証手続を必要とする反面、内部領域からは、このような認証手続を必要とせず、内側ハンドルレバー１７を回動操作するだけで係止片１０の係止を解除することができるように構成されている。図例の場合、認証手段１４は、暗証番号の入力を行わせるためのボタン手段を構成しているが、カードの挿入による磁気情報の読み取り手段等により構成しても良く、更には、キーの挿入による機械的手段により構成しても良い。
【００３１】
上記のように構成した施錠装置１２を設けた扉体３において、前記内側ハンドルレバー１７は、常時は水平姿勢を保持し、操作方向に回動したとき傾斜姿勢（図例の場合、下向き姿勢）となるように構成され、水平姿勢を保持した状態で扉体３の横桟４の背後に位置するように配置されており、該内側ハンドルレバー１７に臨んで開扉支援装置１９を設けている。
【００３２】
前記開扉支援装置１９は、図３及び図５に示すように、前記内側ハンドルレバー１７の上下方向にレバー操作空間Ｓを介して離間した位置に取付けられるブラケット２０と、前記ブラケット２０にボルト・ナット等の軸部材２１を介して横軸廻りに枢着される支援レバー２２と、前記支援レバー２２の基端部から前記内側ハンドルレバー１７の内側に交差するように駆動カム手段２３を延設したユニットを構成し、前記支援レバー２２を所定姿勢に向けて回動付勢するスプリング２４を備えている。
【００３３】
このようなユニットを構成する開扉支援装置１９は、前記ブラケット２０にスプリング２４を介して軸部材２１を挿通することにより支援レバー２２の基端部を軸着しており、前記ブラケット２０をフランジ１３の背面及び／又はハウジング１５に溶接等で固着することにより、駆動カム手段２３を内側ハンドルレバー１７の内側に交差させた状態で取付けられる。この状態で、支援レバー２２は、フランジ１３の背後に位置するように配置される。
【００３４】
図例の場合、ブラケット２０を内側ハンドルレバー１７の上方に配置し、支援レバー２２を基端部から先端部に向けて起立配置した構成を示しているが、反対に、ブラケット２０を内側ハンドルレバー１７の下方に配置し、支援レバー２２を基端部から先端部に向けて垂下させるように配置しても良い。
【００３５】
これにより、前記支援レバー２２は、軸部材２１を介して扉体３に対する接離方向に回動自在とされ、この際、支援レバー２２の基端部に前記ブラケット２０に当接するストッパ手段２２ａが設けられており、これにより、前記スプリング２４により付勢された支援レバー２２が扉体３から離反方向に回動した待機位置で鉛直姿勢を保持するように構成している。
【００３６】
前記駆動カム手段２３は、支援レバー２２の基端部の近傍に位置して内側ハンドルレバー１７に近接し、該内側ハンドルレバー１７に交差しつつ次第に該内側ハンドルレバー１７から離れる方向に向けて膨隆する円弧を描いて傾斜するカム縁２３ａを形成している。従って、支援レバー２２の先端部を扉体３に向けて回動すると、前記カム縁２３ａが内側ハンドルレバー１７の側縁に沿って摺動し、該内側ハンドルレバー１７を水平姿勢から傾斜姿勢へと姿勢変更させながら操作方向に回動させる。
【００３７】
そこで、作業者等が内部領域Ａ１から外部領域Ａ２に退出するため扉体３を開扉するときは、作業者等の身体の一部を支援レバー２２に押し付けることにより該支援レバー２２を扉体３に向けて回動させれば、同行して回動する駆動カム手段２３が内側ハンドルレバー１７を水平姿勢から傾斜姿勢（図例の場合、下向き姿勢）となるように操作方向に回動させ、上述したワンウエイ解錠機構により係止片１１が係止穴１０から後退して扉体３の閉扉係止状態を解除するので、そのまま身体の一部を押し続けることにより、簡単に扉体３を開扉位置Ｐ２に向けて回動し開扉することができる。
【００３８】
扉体３の開扉により作業者等が退出した後は、支援レバー２２は、スプリング２４により元の待機位置に復帰する。尚、図示省略しているが、ハウジング１５の内部にスプリングが設けられており、内側ハンドルレバー１７を元の水平姿勢に復帰させる。
【００３９】
図示実施形態のように、前記駆動カム手段２３は、断面円形の線材を折曲することにより形成することが好ましい。これにより駆動カム手段２３が支援レバー２２の基端部よりも細幅とされ、レバー操作空間Ｓを著しく狭めることがないので、作業者等が開扉支援装置１９を利用せずに、直接、内側ハンドルレバー１７を手で把持することにより、操作方向に回動することを妨げることがない。しかも、線材の折曲加工により、上述のような所望の膨出円弧状としたカム縁２３ａを形成することが容易となる。
【符号の説明】
【００４０】
Ａ１  内部領域
Ａ２  外部領域
１  隔壁
２  開口枠体
２ａ、２ｂ  縦枠
３  扉体
３ａ  基端部
３ｂ  自由端部
４  横桟
５  扉枠
５ａ、５ｂ  縦桟
６ａ、６ｂ  面板
７  小孔
７ａ  微細孔
７ｂ  細孔
８  ヒンジ手段
９  ストッパ
１０  係止穴
１１  係止片
１２  施錠装置
１３  フランジ
１４  認証手段
１５  ハウジング
１６  外側ハンドルレバー
１７  内側ハンドルレバー
１８  切換え手段
１９  開扉支援装置
２０  ブラケット
２１  軸部材
２２  支援レバー
２２ａ  ストッパ手段
２３  駆動カム手段
２３ａ  カム縁
２４  スプリング
【図１】
0003185139.tif 000003
【図２】
0003185139.tif 000004
【図３】
0003185139.tif 000005
【図４】
0003185139.tif 000006
【図５】
0003185139.tif 000007
【図６】
0003185139.tif 000008